(57)【特許請求の範囲】
【請求項１】
乗物のフロアに固定されるためのシート（１）であって、
シートの拡げられた位置と折り畳まれた位置との間で互いに移動する背もたれ及びベースであって、ベース（２）は拡げられた位置では使用される位置にあり、ここではベースは背もたれ（３）に近い後端部（２９）と背もたれから遠い前端部（３０）との間にほぼ水平に延在し、折り畳まれた位置では、整頓された位置にあり、ここではベース（２）はやはりほぼ水平であり、背もたれ（３）は、拡げられた位置では下端部（３１）と上端部（３２）との間にほぼ垂直に延在し、折り畳まれた位置ではほぼ水平に延在する、背もたれ及びベースと、
ベース（２）が使用される位置から整頓される位置へ移動するときに、ベース（２）の後端部（２９）を背もたれの下端部（３１）から遠ざけて、ベース（２）を下げ、背もたれの下端部（３１）の下を通過させるために適した移動手段（１６、１７、１８、１９）であって、整頓される位置は使用される位置の後部に位置することになる移動手段と、
拡げられた位置にあるベース（２）によって使用されていた位置に向かって、背もたれ（３）を前方に傾斜させるために適した、背もたれ（３）の下端部（３１）のあたりに位置する転倒手段（１２、１５）であって、背もたれ（３）とベース（２）は折り畳まれた位置で互いにほぼ延長上に延在することになる転倒手段と、
上に背もたれの下端部（３１）が取り付けられる２つの後部支持物（５）であって、これらの後部支持物（５）はベース（２）の寸法より大きな距離で、ベース（２）の使用位置とベースの整頓位置への方向との間のベース（２）の移動方向に直角な方向（ｙ）に、互いに離れており、こうしてベース（２）はこれら２つの位置の間を移動するとき、これら２つの後部支持物（５）の間を通過する、２つの後部支持物（５）と、
上にベース（２）が取り付けられ、ベース（２）の使用される位置から整頓される位置への移動を案内し、一回の動きにおいて回転成分と並進成分とを含む連接棒（１６、１７、１８、１９）とを有し、
前記連接棒は、
一方ではベース（２）の上であってベースの前端部（３０）の近くで、他方では前記乗物のフロアに固定されるための前部支持物（４）の上に、ピボット運動するように取り付けられるとともに、前記ベースの前端部を持ち上げ、使用される位置から整頓される位置へ移動するときに下げる、２つの前部連接棒（１６）と、
前記乗物のフロアに固定されるための後部支持物（５）の上に、ピボット運動するように取り付けられ、ベースの後端部（２９）の近くで前記ベース（２）につながれるとともに、ベースの後端部（２９）を背もたれ（３）の下端部（３１）の下に通すようにベース（２）を傾けるため前記ベースの前記後端部を下げ、ベース（２）の前端部（３０）を背もたれ（３）の下端部（３１）の近くに導くため使用される位置から整頓される位置へ移動するときに後部に向かって導く、２つの後部連接棒（１８）とを含むシート。
【請求項２】
前部連接棒（１６）と後部連接棒（１８）との間に回転式に取り付けられた少なくとも１つの接合連接棒（１７）をさらに有する、請求項１記載のシート。
【請求項３】
後部連接棒（１８）とベース（２）の後端部（２９）との間に回転式に取り付けられた２つの小連接棒（１９）をさらに含む、請求項２に記載のシート。
【請求項４】
前部連接棒（１６）と後部連接棒（１８）との間に回転式に取り付けられた接合連接棒（１７）を２つ有する、請求項３に記載のシート。
【請求項５】
請求項１から４のいずれか一項に記載のシート（１）が上に固定されているフロアを含む乗物。
【請求項６】
トランク仕切り板（２７）を有するトランクを含み、このトランク仕切り板（２７）の下でベース（２）がその整頓される位置の中に収納される、請求項５に記載の乗物。
【請求項７】
背もたれ（３）が、乗客が背をもたせることができる面とは反対側の面に、折り畳まれた位置でトランク仕切り板（２７）の上面と高さを揃えるために配置された後部プレート（１１）を含む、請求項６に記載の乗物。
【請求項８】
背もたれ（３）の下端部（３１）の近くに位置する背もたれ（３）の少なくとも一部分を覆う移動台板（２８）を含み、この移動台板（２８）は、拡げられた位置から、折り畳み位置でトランク仕切り板（２７）の上面と高さを揃えるために配置された折り畳み位置へ移るときに、背もたれ（３）と共に傾斜する、請求項６または７に記載の乗物。
【発明の詳細な説明】
【０００１】
【発明の属する技術分野】
本発明は、乗物のフロアの上に固定されるためのシートと、このようなシートを備えた乗物とに関する。
【０００２】
さらに特定すれば、本発明は、背もたれとベースとを含むシートであって、背もたれとベースは、シートの拡げられた位置と折り畳まれた位置との間で互いに移動し、ベースは拡げられた位置では使用される位置にあり、ここではベースは背もたれに近い後端部と背もたれから遠い前端部との間に延在し、折り畳まれた位置では、整頓された位置にあり、ここではベースはやはりほぼ水平であり、背もたれは、拡げられた位置では下端部と上端部との間にほぼ垂直に延在し、折り畳まれた位置ではほぼ水平に延在するという、シートに関する。
【０００３】
【従来の技術】
従来の技術による知られているこの形式のシートでは、背もたれは、単に折り畳まれている位置にあるベースの上に戻される。こうして折り畳まれたシートは厚さの点である一定のかさばりを示す。
【０００４】
米国特許第６１１３１９１号の資料によるものなどの、従来の技術による知られているこの形式の別のシートでは、背もたれはやはりベースの上に折り畳まれる。しかし、この動きのときには、背もたれの下端部とベースの後端部は、連接棒と滑り棒との機構によって、拡げられた位置にある背もたれによって占められていた位置の後部に向かってピボット運動をする。こうして、拡げられた位置から折り畳まれた位置へ、ベースは、拡げられた位置にある背もたれが占めていた位置の下を部分的に通されるが、背もたれは、ベースが最初に占めていた位置に向かっておろされている。しかし、ベースと背もたれとはやはり互いに折り畳まれ、折り畳まれた位置ではある一定のかさばりを示す。
【０００５】
【発明が解決しようとする課題】
本発明は特に、従来の技術における前記の不都合性を回避することを目的とする。
【０００６】
【課題を解決するための手段】
そのために本発明によれば、上に述べた形式のシートは、このシートが、
ベースが使用される位置から整頓される位置へ移動するときに、ベースの後端部を背もたれの下端部から遠ざけて、ベースを背もたれの下端部の下を通過させるために適した移動手段であって、整頓される位置は使用される位置の後部に位置することになる、移動手段と、
拡げられた位置にあるベースによって使用されていた位置に向かって、背もたれを前方に傾斜させるために適した、背もたれの下端部のあたりに位置する転倒手段であって、背もたれとベースは折り畳まれた位置で互いにほぼ延長上に延在することになる、転倒手段と
を含むことを特徴とする。
【０００７】
これらの配置のおかげで、シートが折り畳まれた位置では、ベースと背もたれとが互いにほぼ延長上にあって互いに上下に重なっていない以上、その厚さのかさばりは減少する。
【０００８】
有利な実施形態では、このシートは下記の配置のいずれかおよび／またはいずれも含むことができる。すなわち、
移動手段は、ベースが使用される位置から整頓される位置へ移動するときに、ベースを下げるために適しており、
シートは２つの後部支持物を含み、これらの後部支持物の上に背もたれの下端部が取り付けられ、これらの後部支持物はベースの寸法より大きな距離で、ベースの使用位置とベースの整頓位置への方向との間のベースの移動方向に直角な方向に、互いに離れており、こうしてベースは２つの位置の間を移動するとき、これら２つの後部支持物の間を通過し、
シートは連接棒を含み、これらの連接棒の上にベースが取り付けられ、これらの連接棒は、ベースの使用される位置から整頓される位置への移動を案内し、一回の動きにおいて回転成分と並進成分とを含み、回転成分は、ベースの後端部を背もたれの下端部の下に通すようにベースを傾けることを可能にし、並進成分は、ベースの前端部を背もたれの下端部の近くに導くことを可能にし、そして、
シートは、２つの前部連接棒、２つの接合連接棒、２つの後部連接棒、および２つの小連接棒を含み、各前部連接棒は、一方ではベースの上にベースの前端部の近くで、他方では乗物のフロアに固定されることになっている前部支持物の上に、ピボット運動するように取り付けられ、各後部連接棒は後部支持物の上にピボット運動するように取り付けられ、各接合連接棒は、１つの前部連接棒と１つの後部連接棒との間に回転式に取り付けられ、各小連接棒は、１つの後部連接棒とベースの後端部との間に回転式に取り付けられ、各前部連接棒は、ベースの前端部が使用される位置に対して持ち上げられてベースが整頓される位置へ移動されると、２つの接合連接棒の１本を後方への並進運動に導き、各接合連接棒はその並進運動において後部連接棒を回転に導き、この後部連接棒は、ベースの後端部を下げる１つの小連接棒を同時に導き、その後にこの小連接棒を後方へ導く。
【０００９】
別の態様によれば、本発明は、上に述べた配置の１つに従ってシートが上に固定されているフロアを含む乗物に関する。したがって、この乗物は有利に下記の配置のいずれかおよび／またはいずれも含むことができる。すなわち、
乗物は、トランク仕切り板を有するトランクを含み、このトランク仕切り板の下でベースがその整頓される位置の中に収納され、
背もたれは、乗客が背をもたせることができる面とは反対側の面に、折り畳まれた位置でトランク仕切り板の上表面と高さを揃えるために配置された後部プレートを含み、
背もたれは、その下端部に近くに位置する背もたれの少なくとも一部分を覆う移動台板を含み、この移動台板は、拡げられた位置から、折り畳み位置でトランク仕切り板の上表面と高さを揃えるために配置された折り畳み位置へ移るときに、背もたれと共に傾斜する。
【００１０】
本発明のその他の態様、目的、および利点は、例示として挙げられた限定されるものではない実施形態に従った詳細な説明からさらに明らかになろう。本発明はまた添付の図面によってよりよく理解されるであろう。
【００１１】
【発明の実施の形態】
図１は、本発明によるシート１の一例を拡げられた位置で示す。より正確に言えば、このシート１の構造を問題にする。
【００１２】
このシート１は、ベース２と、背もたれ３と、乗物のフロアに固定されるべき２つの前部支持物４と２つの後部支持物５とを含む。
【００１３】
ベース２は、方向Ｘに沿って後端部２９と前端部３０との間にほぼ水平に延在している。背もたれ３は、方向Ｚに下端部３１と上端部３２との間にほぼ垂直に延在している。
【００１４】
本明細書において使用される「上」、「下」、「前」、「後」という形容は、これらの方向を参照するものである。
【００１５】
ベース２は平行六面体のフレーム６を含む。このフレームは前部バー７と後部バー８とを含む。金属片９が前部バーと後部バーとの間に溶接されて、周知の方式で、ベース２の座布団を支えるためにフレーム６によって画定された空間に張られている。
【００１６】
背もたれ３はＵ形の管１０を含み、この管に後部プレート１１が固定されている。管１０の枝の各端部は脚部１２に固定されている。各脚部１２は、ほぼ水平な、および方向Ｘ、Ｚに垂直な、軸Ｙの周りにピボット運動するように取り付けられている。
【００１７】
前部支持物４は、直角に折り曲げられたプレートで構成されている。このプレートのほぼ水平の一部分は、フロアに固定されるべき支承部を構成する。ほぼ垂直の他の部分はピボット１３と突起部１４とを含む。ピボット１３と突起部１４との間には、方向Ｘに対して僅かに傾斜した直線が通っている。前部支持物４は、シート１が拡げられた位置にあるときにはベース２の前方に位置する。
【００１８】
後部支持物５もまた、直角に折り曲げられたプレートで構成されている。このプレートのほぼ水平の一部分は、フロアに固定されるべき支承部を構成する。ほぼ垂直の他の部分は軸ｙの回転シャフト１５を支持し、この上に脚部１２が回転式に取り付けられている。後部支持物５は、シート１が拡げられた位置にあるときにはベース２の後方に位置する。
【００１９】
シート１は、ベース２と背もたれ３との中間面に対して対称形である。こうしてシート１は、この平面の各側に、１つの前部連接棒１６と１つの接合連接棒１７と１つの後部連接棒１８と小連接棒１９とによって構成された機構を含む。以下においてはただ１つの連接棒機構を説明するが、別の側の連接棒機構が対称的に推論される。
【００２０】
各前部連接棒１６は１枚の三角形のプレートで構成されている。この三角プレートの頂点は、ベース２の前部バー７の端部にピボット運動するように取り付けられている。この三角プレートのもう１つの頂点は前部支持物４に回転式に取り付けられている。この三角プレートの最後の頂点は突起１４の上にかけられるようにしたノッチ２０を備え、上述の前部支持物４の上で突き出ている。ノッチ２０はほぼ下方に開いている。
【００２１】
前部バー７の上と前部支持物４の上とにそれぞれピボット運動するように取り付けられた頂部の間に、三角プレートはピボット２１を含む。平らな棒の形を呈する接合連接棒１７は、拡げられた位置で後方に向かって、ピボット２１と後部連接棒１８との間に、ほぼ水平に延在する。
【００２２】
この後部連接棒１８もまた、２つの短辺と１つの長辺とを有する三角形のプレートで構成されている。拡げられた位置では、長辺はほぼ水平に上向きに位置するが、２つの短辺が結合しているレベルの頂点は下向きに位置する。したがって、他の２つの頂点はそれぞれ前方と後方に位置する。
【００２３】
接合連接棒１７は、２つの短辺が接合しているレベルの頂点にほぼ位置するもう１つのピボット２２に、回転式に取り付けられている。シート１が拡げられた位置にあるときに後方に位置する後部連接棒１８の頂部は、分枝２３に回転式に取り付けられており、この分枝２３は後部支持物５に取り付け固定され、この後部支持物５から後方へほぼ水平に延在している。
【００２４】
小連接棒１９は、１つの平らな棒から形成されており、この平らな棒は前方に延びて、シートが拡げられた位置にあるときに前方に位置する後部連接棒１８の頂部に回転式に取り付けられた端部と、ベース２の後部バー８との間で、拡げられた位置では垂直に対して僅かに傾斜している。
【００２５】
拡げられた位置から折り畳まれた位置への移行中におけるベース２と背もたれ３の移動を、図２〜７を用いて以下に説明する。これらの図２〜７は、特に後部プレート１１の上に存在するくぼみ２４を目立たせることを可能にする側面図である。このくぼみ２４の機能は、図８〜１０に関連して後述する。
【００２６】
図２は、座布団２５を備えた図１に関連して説明したシート１を示す。拡げられた位置では、ノッチ２０と突起１４とは、シート１をこの位置にロックするために協働する。
【００２７】
図３に示されているように、ベース２の前端部３０が持ち上げられると、前部バー７に連結された前部連接棒１６の頂部は、前部支持物４に連結された頂部のまわりにピボット運動し、ノッチ２０は突起１４から外れる。同時に接合連接棒１７は後方へ移動され、これは、後部連接棒１８を分枝２３に連結されたその頂部のまわりに回転させ、小連接棒１９に連結されたその頂部を下げることになる。同じ動きで、この小連接棒は、ベース２の後端部２９を下方に向けて背もたれ３の下に導く。
【００２８】
図４に示すように、ベース２の前端部３０が後方へ押し返されると、前部連接棒１６はそれ以上に後方へ傾く。これはまた、接合連接棒１７を後方へ導き、接合連接棒１７はそれ自体、後部連接棒１８を、分枝２３に連結されたその頂部のまわりに回転させる。これには、小連接棒１９に連結された後部連接棒１８の頂部の後方移動を伴う。この動きは、小連接棒１９とベース２の後端部２９とを上昇させるが、この後端部は、シート１を取り付けるべき乗物のトランク仕切り板に対応するレベルＮの下に留まっている。
【００２９】
図５に示すように、ベース２の前端部３０が下げられると同時に、後方に押し返されると、前部連接棒１６は、前部バー７に連結された頂部と前部支持物４に連結された頂部とを結ぶその辺がほぼ水平になるまで、その傾斜を達成する。こうして接合連接棒１７は最大限まで後退している。後部連接棒１８に連結されたその端部は、分枝２３上の後部連接棒１８のピボット２６に対して、またこの端部が拡げられた位置で占めていた位置に対して、ほぼ直径方向の反対側に位置する（図１、２）。小連接棒１９は、垂直に対して４５°の傾斜で後方へ延びている。ベース２の後端部２９はレベルＮの下に留まりながら再び上げられる。こうしてベース２は背もたれ３の後方で、レベルＮの下に収納される。
【００３０】
ベース２は再びほぼ水平になり、前端部３０は最大限に背もたれ３と後部支持物５に近づく。
【００３１】
次に図６、７に示すように背もたれ３は前方に、ベース２が占めていた位置に向かって傾斜する。この傾斜移動はベース２の移動とは関係なく実施される。
【００３２】
図７に示すように、背もたれ３が完全に傾斜すると、後部プレート１１はレベルＮと高さが揃う。
【００３３】
拡げられた位置から折り畳まれた位置へ移行するときに、背もたれとベースは互いに独立して移動されることに注目することができる。
【００３４】
図８〜１０は、乗物におけるトランクの前の、最後列シートのレベルに取り付けられた上述のような２つのシート１を示す。このトランクはトランク仕切り板２７と２枚の移動台板２８とを含む。各移動台板２８は、各シート１の背もたれ３の、後部プレート１１の一部を覆う。
【００３５】
これらのシートの前部支持物と後部支持物は、トランク仕切り板２７のレベルＮの下に位置する。
【００３６】
図８〜１０では、シート１の１つが折り畳まれた位置（図７に相当する位置）にある。
【００３７】
また図８では、拡げられた位置（図１、２に相当する位置）にあるシート１が示されている。
【００３８】
図９では、このシート１のベース２はトランク仕切り板２７の下に収納され、背もたれ３は部分的に前方へ（図６に相当する位置へ）傾いている。移動台板２８も、こうして背もたれ３の動きに応じて傾斜している。
【００３９】
図１０では、背もたれ３は隣のシートのように完全に傾いている。移動台板２８は後部プレート１１のくぼみ２４の中に隠されている。こうして後部プレート１１と移動台板２８はトランク仕切り板２７の上面と高さが揃う。したがって、均一に平坦なトランクの積載平面が得られる。
【００４０】
上述の実施形態について多くの変形を計画することができる。
【００４１】
こうして、一変形実施形態によれば、ベース２が使用される位置で占めていた場所に向かって背もたれ３が傾斜する前に、ベース２を使用される位置から整頓される位置への簡単な移行によって仕切り板２７の下に収納するようにすることができる。
【図面の簡単な説明】
【図１】本発明によるシートの一例の骨組を示す概略斜視図である。
【図２】座布団を付けて拡げられた位置にある、図１に示すシートの概略側面図である。
【図３】ベース２が持ち上げられたときの、図２のシートの概略側面図である。
【図４】ベース２が部分的に折り畳まれたときの、図２、３のシートの概略側面図である。
【図５】ベースが完全に折り畳まれたときの、図２〜４のシートの概略側面図である。
【図６】背もたれが部分的に折り畳まれたときの、図２〜５のシートの概略側面図である。
【図７】背もたれが完全に折り畳まれたときの、図２〜６のシートの概略側面図である。
【図８】乗物のフロア上に取り付けられた図２〜７のシートの、拡げられたときの概略斜視図である。
【図９】図８と同様な図で示す、図２〜７のシートの部分的に折り畳まれたときの概略断面図である。
【図１０】図８、９と同様な図で示す、図２〜７のシートの完全に折り畳まれたときの概略断面図である。
【符号の説明】
１    シート
２    ベース
３    背もたれ
４    前部支持物
５    後部支持物
６    フレーム
７    前部バー
８    後部バー
９    金属片
１０    Ｕ形の管
１１    後部プレート
１２    脚部
１３    ピボット
１４    突起
１５    回転シャフト
１６    前部連接棒
１７    接合連接棒
１８    後部連接棒
１９    小連接棒
２０    ノッチ
２１    ピボット
２２    ピボット
２３    分枝
２４    くぼみ
２５    座布団
２６    ピボット
２７    トランク仕切り板
２８    移動台板
２９    後端部
３０    前端部
３１    下端部
３２    上端部
【図１】
0003659936.tif 000002
【図２】
0003659936.tif 000003
【図３】
0003659936.tif 000004
【図４】
0003659936.tif 000005
【図５】
0003659936.tif 000006
【図６】
0003659936.tif 000007
【図７】
0003659936.tif 000008
【図８】
0003659936.tif 000009
【図９】
0003659936.tif 000010
【図１０】
0003659936.tif 000011